(57)【要約】      （修正有）【課題】リソグラフィ投影装置において、マスクに解像度以下の散乱バー（補助形態）を提供し、光学的近位補正（ＯＰＣ）および印刷性能を改善する方法を提供する。【解決手段】光学的近位補正形態を有するマスクを形成する方法は、描像すべき形態を備える前記目標模様を獲得するステップ41と、描像すべき前記形態の幅を拡張するステップ42と、描像すべき形態の縁に隣接して配置された補助形態を含むよう前記マスクを改造するステップ43〜46とを含み、補助形態は、描像すべき前記形態の拡張幅に対応する長さを有し、さらに、描像すべき形態を拡張幅から、目標模様に対応する幅へと減少させるステップ47を含む。【選択図】図４
2005031690.tif 000002
【特許請求の範囲】
【請求項１】
描像すべき形態を備える目標模様を含むマスクを形成する方法で、
（ａ）描像すべき形態を備える前記目標模様を獲得するステップと、
（ｂ）描像すべき前記形態の幅を拡張するステップと、
（ｃ）補助形態を含むよう前記マスクを改造するステップとを含み、前記補助形態は、描像すべき前記形態の縁に隣接して配置され、前記補助形態は、描像すべき前記形態の拡張幅に対応する長さを有し、さらに、
（ｄ）描像すべき形態を拡張幅から、目標模様に対応する幅へと減少させるステップを含み、
前記マスクが前記補助形態および描像すべき前記形態を含み、描像すべき前記形態が、前記目標模様に対応する前記幅を有する方法。
【請求項２】
ステップ（ｂ）およびステップ（ｃ）がさらに、
描像すべき前記形態の幅を第一方向に所定の量だけ拡張するステップと、
水平方向に位置合わせされ、第一方向で前記拡張形態によって形成された水平縁に隣接して配置された補助形態を含むよう、前記マスクを改造するステップと、
描像すべき前記形態の幅を第二方向に所定の量だけ拡張するステップと、
垂直方向に位置合わせされ、第二方向で前記拡張形態によって形成された垂直縁に隣接して配置された補助形態を含むよう、前記マスクを改造するステップとを含み、
前記第一方向と前記第二方向が相互に対して直角である、請求項１に記載のマスク形成方法。
【請求項３】
前記水平方向に位置合わせされた補助形態のうち、前記垂直方向に位置合わせされた補助形態と重なる全ての部分を前記マスクからキャンセルするステップと、前記垂直方向に位置合わせされた補助形態のうち、前記水平方向に位置合わせされた補助形態と重なる全ての部分を前記マスクからキャンセルするステップとを含む、請求項２に記載のマスク形成方法。
【請求項４】
前記補助形態が解像度以下であり、したがって前記補助形態が、前記マスクの描像時に印刷されない、請求項１に記載のマスク形成方法。
【請求項５】
垂直方向に位置合わせされた１つの連続する補助形態が、水平方向に位置合わせされ、相互に隣接して配置された形態の線端の近傍に配置される、請求項２に記載のマスク形成方法。
【請求項６】
水平方向に位置合わせされた１つの連続する補助形態が、垂直方向に位置合わせされ、相互に隣接して配置された形態の線端の近傍に配置される、請求項２に記載のマスク形成方法。
【請求項７】
描像すべき形態と、光学的近位補正形態とを備えるマスクを形成する方法で、
第一方向に延在する第一補助形態を形成するステップと、
第二方向に延在する第二補助形態を形成するステップとを含み、前記第一方向と前記第二方向とが相互に直角であり、さらに、
前記第一補助形態を前記第二補助形態に接続する面取り補助形態を形成するステップを含み、前記面取り補助形態が、前記第一補助形態および前記第二補助形態との両方に対してある角度で配置される方法。
【請求項８】
前記面取り補助形態が、前記第一補助形態の主軸、および前記第二補助形態の主軸に対して約４５°の角度で配置された主軸を有する、請求項７に記載のマスク形成方法。
【請求項９】
前記面取り補助形態が三角形の形状を有する、請求項７に記載のマスク形成方法。
【請求項１０】
前記面取り補助形態が、ほぼ４５°、４５°および９０°の角度を有する直角三角形を形成する形状を有する、請求項９に記載のマスク形成方法。
【請求項１１】
前記面取り補助形態が台形の形状を有する、請求項７に記載のマスク形成方法。
【請求項１２】
描像すべき形態と、光学的近位補正形態とを備えるマスクを形成する方法で、
それぞれが第一方向に延在する複数の第一補助形態を形成するステップと、
それぞれが第二方向に延在する複数のダイに補助形態を形成するステップとを含み、前記第一方向と前記第二方向とが相互に対して直角であり、さらに、
それぞれが前記第一補助形態の一つを前記複数の第二補助形態の一つに接続する複数の面取り補助形態を形成することを含み、前記面取り補助形態がそれぞれ、前記複数の第一補助形態と前記複数の第二補助形態との両方に対してある角度で配置される方法。
【請求項１３】
前記複数の第一補助形態の少なくとも一部、前記複数の第二補助形態の少なくとも一部、および前記面取り補助形態の少なくとも一部が、描像すべき形態をほぼ囲むように配置構成される、請求項１２に記載のマスク形成方法。
【請求項１４】
前記複数の面取り補助形態がそれぞれ、前記複数の第一補助形態それぞれの主軸、および前記複数の第二補助形態それぞれの主軸に対して約４５°の角度配置された主軸を有する、請求項１２に記載のマスク形成方法。
【請求項１５】
前記複数の面取り補助形態がそれぞれ、三角形の形状および台形の形状のうち少なくとも一つを有する、請求項１２に記載のマスク形成方法。
【請求項１６】
少なくとも１つの機械で読み取り可能な媒体によって転送することができる実行可能なコードを備えるプログラム製品で、少なくとも１つのプログラム可能なコンピュータでコードを実行すると、少なくとも１つのプログラム可能なコンピュータが、前記マスクに形成された模様を基板に光学的に転送するためのマスクを形成するステップのシーケンスを実行し、前記ステップが、
（ａ）描像すべき形態を備える目標模様を獲得するステップと、
（ｂ）描像すべき前記形態の幅を拡張するステップと、
（ｃ）補助形態を含むよう前記マスクを改造するステップとを含み、前記補助形態が、描像すべき前記形態の縁に隣接して配置され、前記補助形態が、描像すべき前記形態の拡張幅に対応する長さを有し、さらに、
（ｄ）描像すべき形態を、拡張幅から目標模様に対応する幅に減少させるステップを含み、
前記マスクが、前記補助形態および描像すべき前記形態を含み、描像すべき前記形態が、前記目標模様に対応する前記幅を有するプログラム製品。
【請求項１７】
ステップ（ｂ）およびステップ（ｃ）がさらに、
描像すべき前記形態の幅を第一方向に所定の量だけ拡張するステップと、
水平方向に位置合わせされ、第一方向で前記拡張形態によって形成された水平縁に隣接して配置された補助形態を含むよう、前記マスクを改造するステップと、
描像すべき前記形態の幅を第二方向に所定の量だけ拡張するステップと、
垂直方向に位置合わせされ、第二方向で前記拡張形態によって形成された垂直縁に隣接して配置された補助形態を含むよう、前記マスクを改造するステップとを含み、
前記第一方向と前記第二方向が相互に対して直角である、請求項１６に記載のプログラム製品。
【請求項１８】
さらに、前記水平方向に位置合わせされた補助形態のうち、前記垂直方向に位置合わせされた補助形態と重なる全ての部分を前記マスクからキャンセルするステップと、前記垂直方向に位置合わせされた補助形態のうち、前記水平方向に位置合わせされた補助形態と重なる全ての部分を前記マスクからキャンセルするステップとを含む、請求項１７に記載のプログラム製品。
【請求項１９】
前記補助形態が解像度以下であり、したがって前記補助形態が、前記マスクの描像時に印刷されない、請求項１６に記載のプログラム製品。
【請求項２０】
垂直に位置合わせされた１つの連続する補助形態が、水平方向に位置合わせされ、相互に隣接して配置された形態の線端の近傍に配置される、請求項１７に記載のプログラム製品。
【請求項２１】
水平方向に位置合わせされた１つの連続する補助形態が、垂直方向に位置合わせされ、相互に隣接して配置された形態の線端の近傍に配置される、請求項１７に記載のプログラム製品。
【請求項２２】
少なくとも１つの機械で読み取り可能な媒体によって転送することができる実行可能なコードを備えるプログラム製品で、少なくとも１つのプログラム可能なコンピュータでコードを実行すると、少なくとも１つのプログラム可能なコンピュータが、前記マスクに形成された模様を基板に光学的に転送するためのマスクを形成するステップのシーケンスを実行し、前記ステップが、
第一方向に延在する第一補助形態を形成するステップと、
第二方向に延在する第二補助形態を形成するステップとを含み、前記第一方向と前記第二方向とが相互に直角であり、さらに、
前記第一補助形態を前記第二補助形態に接続する面取り補助形態を形成するステップを含み、前記面取り補助形態が、前記第一補助形態および前記第二補助形態との両方に対してある角度で配置されるプログラム製品。
【請求項２３】
前記面取り補助形態が、前記第一補助形態の主軸、および前記第二補助形態の主軸に対して約４５°の角度で配置された主軸を有する、請求項２２に記載のプログラム製品。
【請求項２４】
前記面取り補助形態が三角形の形状を有する、請求項２２に記載のプログラム製品。
【請求項２５】
前記面取り補助形態が、ほぼ４５°、４５°および９０°の角度を有する直角三角形を形成する形状を有する、請求項２３に記載のプログラム製品。
【請求項２６】
前記面取り補助形態が台形の形状を有する、請求項２４に記載のプログラム製品。
【請求項２７】
少なくとも１つの機械で読み取り可能な媒体によって転送することができる実行可能なコードを備えるプログラム製品で、少なくとも１つのプログラム可能なコンピュータでコードを実行すると、少なくとも１つのプログラム可能なコンピュータが、前記マスクに形成された模様を基板に光学的に転送するためのマスクを形成するステップのシーケンスを実行し、前記ステップが、
それぞれが第一方向に延在する複数の第一補助形態を形成するステップと、
それぞれが第二方向に延在する複数のダイに補助形態を形成するステップとを含み、前記第一方向と前記第二方向とが相互に対して直角であり、さらに、
それぞれが前記第一補助形態の一つを前記複数の第二補助形態の一つに接続する複数の面取り補助形態を形成することを含み、前記面取り補助形態がそれぞれ、前記複数の第一補助形態と前記複数の第二補助形態との両方に対してある角度で配置され、
前記複数の第一補助形態の少なくとも一部、前記複数の第二補助形態の少なくとも一部、および前記面取り補助形態の少なくとも一部が、描像すべき形態をほぼ囲むように配置構成されるプログラム製品。
【請求項２８】
描像すべき形態と、光学的近位補正形態とを備えるマスクを形成する方法で、
第一方向に延在する第一補助形態を形成するステップと、
前記第一方向に平行な方向に延在する第二補助形態を形成するステップと、
前記第一補助形態を前記第二補助形態に接続する面取り補助形態を形成するステップとを含み、前記面取り補助形態が、前記第一補助形態と前記第二補助形態との両方に対してある角度で配置される方法。
【請求項２９】
前記面取り補助形態が、前記第一補助形態の主軸、および前記第二補助形態の主軸に対して約４５°の角度で配置された主軸を有する、請求項２８に記載のマスク形成方法。
【請求項３０】
前記面取り補助形態が台形の形状を有する、請求項２８に記載のマスク形成方法。
【発明の詳細な説明】
【技術分野】
【０００１】
本発明は、２００３年６月３０日出願の「A Method For Compensating For Scattering Bar Loss」と題した米国暫定特許出願第６０／４８３，１０５号、および２００３年９月５日に出願の「Improved Scattering Bar OPC Application Method For Sub-Half Wavelength Lithography Pattering」と題した米国暫定特許出願第６０／５００，２７２号に対する優先権を主張する。
【０００２】
本発明は、リソグラフィに、特に改良型の散乱バー／補助形態の設計を使用することによる光学的近位補正（ＯＰＣ）の改良、さらにマスク設計に散乱バーを組み込む新しい方法に関する。
【背景技術】
【０００３】
リソグラフィ投影装置は例えば、集積回路（ＩＣ）の製造において使用可能である。この場合、模様付け手段はＩＣの個々の層に対応する回路模様を含むことができ、この模様を、放射線感光原料（レジスト）の層が塗布された基板（シリコンウェハ）上の目標部分（例えば１つあるいはそれ以上のダイから成る）に描像することができる。一般的に、シングルウェハは、投影システムを介して１つずつ順次照射される近接目標部分の全体ネットワークを含んでいる。１つのタイプのリソグラフィ投影装置では、全体マスク模様を目標部分に１回の作動にて露光することによって各目標部分が照射される。こうした装置は一般的にウェハステッパと称されている。一般に走査ステップ式装置と称される別の装置では、所定の基準方向（「走査」方向）にマスク模様を投影ビームで徐々に走査し、これと同時に基板テーブルをこの方向と平行に、あるいは反平行に走査することにより、各目標部分が照射される。一般的に、投影システムは倍率係数Ｍ（一般的に、＜１）を有することから、基板テーブルが走査される速度Ｖは、マスクテーブルが走査される速度の係数Ｍ倍となる。ここに記載を行ったリソグラフィデバイスに関するさらなる情報は、例えば、米国特許第ＵＳ６，０４６，７９２号から得ることができ、これは参照により本明細書に組み込まれる。
【０００４】
リソグラフィ投影装置を使用する製造プロセスにおいて、マスク模様は少なくとも部分的に放射線感光材（レジスト）の層で覆われた基板上に描像される。この描像ステップに先立ち、基板は、プライミング、レジスト塗布、およびソフトベークといったような各種のプロセスを経る。露光後、基板は、露光後ベーク（ＰＥＢ）、現像、ハードベーク、および描像形態の測定／検査といったような他の工程を通る。このプロセスの配列は、例えばＩＣといったような素子の個々の層を模様付けするための基準として使用される。このような模様付けされた層は、それから、全て個々の層を仕上げる目的である、エッチング、イオン注入（ドーピング）、メタライゼーション、酸化、化学機械的研磨等といった種々のプロセスを経る。これらは全て個々の層を仕上げるためのものである。数枚の層が必要とされる場合には、全体プロセス、もしくはその変形をそれぞれの新しい層に繰り返す必要がある。最終的に、素子のアレイが基板（ウェハ）上に形成される。次に、これらの素子はダイシングやソーイングといったような技法で相互より分離される。それから個々の素子は、キャリアに装着されたり、ピンに接続されたりし得る。こうしたプロセスに関するさらなる情報は、１９９７年にマグローヒル出版会社より刊行された、Ｐｅｔｅｒ  ｖａｎ  Ｚａｎｔ著、「マイクロチップ製造：半導体処理に対する実用ガイド」という名称の書籍（“Ｍｉｃｒｏｃｈｉｐ  Ｆａｂｒｉｃａｔｉｏｎ：Ａ  Ｐｒａｔｉｃａｌ  Ｇｕｉｄｅ  ｔｏ  Ｓｅｍｉｃｏｎｄｕｃｔｏｒ  Ｐｒｏｃｅｓｓｉｎｇ”）の第３版、ＩＳＢＮ０−０７−０６７２５０−４に記載され、これは参照により本明細書に組み込まれる。
【０００５】
簡潔化の目的で、これより投影システムを「レンズ」と称するものとする。しかし、この用語は、例えば屈折光学システム、反射光学システム、および反射屈折光学システムを含むさまざまなタイプの投影システムを網羅するものとして広義に解釈されるべきである。放射線システムはまた、放射線の投影ビームの誘導、成形、あるいは制御を行う、こうした設計タイプのいずれかに応じて稼動する構成要素も備えることが出来る。こうした構成要素もまた以降において集約的に、あるいは単独的に「レンズ」と称する。さらに、リソグラフィ装置は２つあるいはそれ以上の基板テーブル（および、あるいは２つもしくはそれ以上のマスクテーブル）を有するタイプのものである。このような「多段」デバイスにおいては、追加のテーブルが並列して使用される。もしくは、１つ以上の他のテーブルが露光に使用されている間に予備工程が１つ以上のテーブルにて実行される。デュアルステージリソグラフィ装置については、例えば米国特許第ＵＳ５，９６９，４４１号および国際特許出願第ＷＯ９８／４０７９１号において記載がなされており、これは両方とも参照により本明細書に組み込まれる。
【０００６】
上述したリソグラフィのマスクは、シリコンウェハ上に集積される回路構成要素に対応する幾何学的模様を備える。このようなマスクの生成に使用する模様は、ＣＡＤ（コンピュータ援用設計）プログラムを使用して精製され、このプロセスはＥＤＡ（電子設計自動化）と呼ぶことが多い。大部分のＣＡＤプログラムは、機能的マスクを生成するために所定の設計規則のセットに従う。この規則は、処理および設計の制限によって設定される。例えば、設計規則は、回路デバイスまたは線が望ましくない方法で相互作用しないことを保証するよう、回路デバイス（ゲート、コンデンサなど）間または相互接続線間の空間公差を画定する。設計規則の制限は、通常、「限界寸法」（ＣＤ）と呼ばれる。回路の限界寸法は、線の最小幅または２本の線間の最小間隔と定義することができる。したがって、ＣＤは、設計される回路の全体サイズおよび密度を決定する。
【０００７】
言うまでもなく、集積回路製造の目的の一つは、（マスクを介して）ウェハ上の元の回路設計を忠実に再生することである。現在、様々な光学的近位補正（ＯＰＣ）技術を使用して、その結果生じる像が、所望の目標模様により正確に対応できるようにする。広く知られている一般的なＯＰＣ技術は、解像度以下の散乱バー（補助形態とも呼ばれる）を使用する。例えば米国特許第５，８２１，０１４号で記載されたように、解像度以下の補助形態、つまり散乱バーは、光学的近位効果を補正する手段として使用され、全体的プロセスウィンドウ（つまり、形態が孤立しているか、隣接形態に対して密集しているかに関係なく、何らかの特定のＣＤを揺する形態を一貫して印刷することができる焦点および露光量の変動範囲）を増加させるのに効果的であることが判明している。第’０１４号特許に記載されているように、概して、光学的近位補正は、散乱バーを形態の近傍に配置することにより、密度が低い形態から孤立した形態までの焦点深度を改良することにより実行される。散乱バーは、（孤立した形態または密度が低い形態の）有効模様密度を変化させる機能を果たし、それによって孤立した形態または密度が低い形態の印刷に関連する望ましくない近位効果を打ち消す。しかし、散乱バー自体はウェハ上に印刷されないことが重要である。したがって、散乱バーのサイズを、描像システムの解像能力未満に維持する必要がある。
【０００８】
散乱バーが広範に使用されているにもかかわらず、露光波長の半分以下の模様付け形態寸法で使用する場合、現在の散乱バー技術には基本的に３つの問題が残っている。第一の問題は、主要設計形態の不十分な保護に関し、これは焦点範囲を著しく制限する。第二の問題は、典型的な散乱バーの解決法では、生成される短い散乱バー部片が多すぎることに関し、その結果、マスク作成能力に過度の要求が生じることである。第三の問題は、隣接する水平および垂直散乱バーを相互に接合することに、十分な解決法がないことである。現在の方法では、水平および垂直散乱バーを相互から引き離す必要がある。
【０００９】
図１ａから図１ｃは、上述した第一の問題を図示する。図１ａは、印刷すべき形態１２と、ＯＰＣを実行する散乱バー１３との両方を有する例示的レイアウトを示す。図１ｂおよび図１ｃは、その結果としての「最良焦点」および０．１ｕｍの焦点外れにおける印刷性能を示す。図１ａのマスクの円で囲んだ部分に対応する円で囲んだ模様の部分を有する図１ｃで示すように、自身に隣接して垂直に配置された散乱バーがない形態１２の区域１４は「ピンチング」（つまり印刷される線の幅の望ましくない減少）を呈する。
【００１０】
図２は、上述した第二の問題を示す。特に、図２は、散乱バー用途のために現在知られている技術を使用する散乱バーを含むよう改造されたマスク（本明細書ではマスクレイアウトとも呼ぶ）を示す。マスクは、印刷される形態１２と散乱バー１３との両方を含む。図２で示すように、現在の技術の結果、マスクレイアウト中に余分な数の散乱バー１５の短い部片がある。しかし、マスク作成プロセスの限界のため、このような散乱バーの短い部片の多くを除去しなければならず、それによって印刷性能に望ましくない低下を生じる。
【００１１】
図２は、上述した第三の問題も示す。図示のように、相互に近く配置された垂直および水平散乱バーで、相互に接続されるものはない。これは、マスク設計中に散乱バーを配置する現在の技術では、散乱バーの交差部分の描像を防止するよう、例えば印刷される形態の隅に隣接する垂直および水平散乱バーを、相互から引き離す必要がある。しかし、上述したように、マスクから散乱バー部分を除去すると、印刷性能に望ましくない低下を生じる。
【発明の開示】
【発明が解決しようとする課題】
【００１２】
したがって、マスクに解像度以下の散乱バー（補助形態とも呼ぶ）を提供し、ＯＰＣおよび印刷性能を改善できるよう、前述の問題を克服する方法に対する要求が存在する。
【課題を解決するための手段】
【００１３】
以下の説明は、散乱バーをマスクレイアウトに適用する新規の方法を検討する。
【００１４】
上述した要求を解決しようと務めて、散乱バーを含むようマスクを改造する方法および技術を提供することが本発明の目的であり、これはレイアウト設計に含まれる個々の散乱バーの量を減少させる一方、散乱バーが占有する全体的面積を増加させる。本発明の方法では、新規の「面取り」散乱バーを使用することができ、これで隣接する垂直および水平散乱バーを接続することができ、これによってマスクに含まれる隅形態の印刷性能を改善し、さらに孤立した形態を完全に保護する（つまり散乱バーにより完全に囲む）。
【００１５】
特に、本発明は、光学的近位補正形態を含むようマスクを改造する方法に関し、これは、描像すべき形態の目標模様を獲得するステップと、描像すべき形態の幅を拡張するステップと、描像すべき形態の縁に隣接して配置された補助形態を含むよう、マスクを改造するステップとを含み、補助形態は、描像すべき形態の拡張幅に対応する長さを有し、さらに、描像すべき形態を拡張幅から目標模様に対応する幅に戻すステップを含む。これにより改造されたマスクレイアウトは、補助形態と、目標模様に対応する幅を有する描像すべき形態とを備える。
【００１６】
本発明は、描像すべき形態と光学的近位補正形態とを備えるマスクを形成する方法にも関する。方法は、垂直方向に延在する第一補助形態を形成するステップと、水平方向に延在する第二補助形態を形成するステップと、第一補助形態を第二補助形態に接続する面取り補助形態を形成するステップとを含み、面取り補助形態は、第一補助形態および第二補助形態の両方に対してある角度で配置される。
【００１７】
本発明は、先行技術の技術に対して多くの利点を提供する。一つの利点は、本発明の技術が、マスク設計に含まれる個々の散乱バーの量を減少させ、散乱バーが占有する全体的面積を増加させることである。また、本発明の方法は、散乱バーを線端に配置し、これは先行技術を使用して除去される。その結果、マスク作成プロセスが単純化する一方、同時に印刷性能が改善される。方法では、新規の「面取り」散乱バーを使用することもでき、これは隣接する垂直および水平散乱バーを接続することができ、それによってレイアウトに含まれる隅形態の印刷性能を改善しながら、孤立した形態を完全に保護する（つまり散乱バーで完全に囲む）。このように完全に囲むことで、このような設計形態の全部分が、散乱バーによって孤立した形態に提供されることが知られている焦点深度の改善を保証する。
【００１８】
以上および他の本発明の特徴、態様および利点は、本発明の以下の詳細な説明を添付図面と組み合わせて考慮することにより、さらに明白になる。
【発明を実施するための最良の形態】
【００１９】
本発明の光学的近位補正技術によると、散乱バーを含むようマスクレイアウトを改造する方法および技術が提供され、これはマスク設計に含まれる散乱バーの量を増加させる一方、散乱バーの個々の部片数を最少にする。方法では、隣接する垂直および水平散乱バーを接続することができる新規の「面取り」散乱バーの使用も可能にし、これによってレイアウトに含まれる隅形態の印刷性能を改善し、さらに孤立した形態を完全に保護する（つまり散乱バーを完全に囲む）。
【００２０】
図３は、本発明の方法を使用して散乱バーを含むよう改造された例示的マスクレイアウトを示し、これは「散乱バー拡張方法」と呼ばれる。図３を参照すると、マスクレイアウトは、基板上に印刷される水平形態３１および垂直形態３２、さらに水平散乱バー３４および垂直散乱バー３５を含む。上述したように、散乱バー３４および３５の寸法は、散乱バーが解像度より小さいままで、描像される基板に印刷されないような寸法である。
【００２１】
図示のように、以下で詳細に説明する本発明の散乱バー拡張方法を使用すると、その結果生じたマスクレイアウトは、先行技術の方法と比較すると、非常に多くの散乱バーを含む。これは、図２と図３との比較から明白である。図３は、図２と同じ描像すべき下の模様を示すことが分かる。実際、本発明による散乱バーを適用すると、散乱バーが、先行技術の方法を使用して散乱バーを適用した場合には散乱バーを含まないような区域に配置される。例えば、図３に示すようなマスクレイアウトの部分３６を参照すると、水平に配置された散乱バー３４が、新規のプロセスを使用して垂直に配置された線３２の線端に隣接して配置される。しかし、これに対して、先行技術の方法を使用すると、垂直線の端部の隣には、このような水平散乱バーが配置されない。垂直線端の幅が、その隣に散乱バーを配置することを正当とするには小さすぎると考えられるからである。
【００２２】
図４は、本発明により散乱バーをマスクレイアウトに適用する方法を示す例示的流れ図であり、図５ａから図５ｃは、図４のプロセスを示す。図４を参照すると、第一ステップ４１は、基板上に描像すべき所望の模様（つまり目標模様）を獲得することである。図示のように、目標模様は、垂直形態３２と水平形態３１との両方を含む（本明細書で垂直または水平形態と言う場合、単純さを期して、これは相互に対して直角に延在する２組の形態を指すことが分かる）。次のステップ４２は、全形態を水平方向に拡張し、その水平方向の縁を延長することである。次に、この方向で相互に十分に近い形態は全て合流する。水平に延在する形態の拡大区域を、図５ａの参照番号５１で示す。ステップ４２で形態が水平方向に拡張する量は、散乱バーが目標模様の水平方向縁の端部を越えて延在する程度、および形態が合流する最大の水平方向間隔を決定する。所与の実施形態では、この距離は、１次形態とその分散バーとの間の距離（複数の散乱バーを縁の隣に配置した場合は、最も近い散乱バーまでの距離）にほぼ等しくなるよう選択される。この基準により、凸形隅にある散乱バーが４５°の角度まで外側に延在する。それを越えると、水平の散乱バーは、水平縁より垂直縁に近づき、ここでは垂直散乱バーの方が有用である。図５ａで示すように、水平に延在する形態は、拡張した水平縁表面を呈することも分かる。次のステップ４３は、拡張した形態の各水平縁の隣に水平散乱バー５７を生成することである。つまり、マスク模様を改造して、水平形態縁の隣に配置された水平散乱バー５７を含める。
【００２３】
水平散乱バーが生成されたら、プロセスの次のステップは、同様の方法で垂直形態縁の隣に配置されるべき垂直散乱バー５９を生成することである。再び図４を参照すると、第一ステップ４４は、各形態を垂直方向に拡張することである。所与の実施形態では、垂直方向で十分に近い形態は、隣接形態と結合するよう拡張する。形態の拡大区域は、図５ｂの参照番号５６で示される。形態の垂直方向での増加量は、上述した水平拡張と同じ方法で制限されることが分かる（つまり、所与の実施形態では、拡張量が、１次形態と隣接する散乱バーとの間の距離になるよう選択される）。図５ｂで示すように、拡張した形態は拡張した垂直縁表面を呈することも分かる。次のステップ４５は、垂直に拡張した形態の各垂直縁の隣に垂直散乱バー５９を生成することである。つまり、マスク模様を改造して、垂直形態縁の隣に配置された垂直散乱バーを含める。
【００２４】
さらに、所与の実施形態では、図５ａおよび図５ｂで示すように垂直および水平形態を拡張すると、各垂直縁および水平縁が個々のステップで拡張されることが分かる（単に、主に垂直または水平とされるような形態ではない）。例えば、図５ｂを参照すると、垂直形態６２の水平縁６１が、拡張ステップ中に拡張する。その後、垂直形態６１の隣に拡張した散乱バーが配置されることになる。全ての垂直縁は、図５ａで示すようにステップ４２中に同様の方法で拡張され、その結果、拡張散乱が水平形態３４の隣に配置される。
【００２５】
ステップ４５が終了し、ステップ４６で図５ｃを参照すると、拡張した垂直散乱バーおよび拡張した水平散乱バーの両方を有するマスクレイアウトを検査して、垂直散乱バーおよび水平散乱バーが相互に交差する（つまり重なる）区域を決定し、交差区域は全てマスクレイアウトからキャンセルされる。プロセスの最終ステップ（ステップ４７）では、拡張した垂直および水平形態を元のサイズに戻す。したがって、以上のプロセスの後、マスクレイアウトは、拡張した垂直および水平散乱バーを含むよう改造された元の目標模様を含む。図５ｃは、交差区域キャンセル前の改造したマスクレイアウトを示す。
【００２６】
図６は、本発明による上記の散乱バー適用プロセスが終了した後のマスクレイアウトを示す。図７は、先行技術の散乱バー技術を使用した、図６で示したものと同じ目標模様への散乱バーの適用を示す。図面の比較から分かるように、新しい散乱バー拡張方法では、散乱バーが、先行技術を使用すると補正されない区域に配置される。新しい方法では、マスク設計に含まれる個々の散乱バー区画の数が減少することも招く（つまり、比較的小さい個々の散乱バー設計が、１つの連続散乱バーに置換される）。図５ａから図５ｃおよび図６の最下部分は、これらの図で示したマスク模様の端部を示していないことが分かる（つまり、目標模様全体の一部しか図示されていない）。これらの図の最下部分が目標模様の実際の端部に対応している場合は、散乱バーもそれに隣接して配置される。以下でさらに説明するように、このような隣接する垂直および水平散乱バーを接続することも可能であり、これは、図１３ａおよび図１３ｂで示すような新規の「面取り」散乱バーを使用して交差区域を除去することによって生成される。
【００２７】
本発明の方法は、新規の「面取り接続スタイル」散乱バーを使用することも含み、これによって隣接する垂直および水平散乱バーの端部を（つまり面取り散乱バーを介して）接続することができる。以下で検討するように、面取り散乱バーは、目標模様の隅形態に隣接する散乱バーの使用に伴う問題を解消する。
【００２８】
図８は、本発明により「面取り」散乱バーを生成する例示的方法を説明する。プロセスを示す図９から図１１を参照すると、第一ステップ８１は、水平および垂直散乱バー７２および７３が図９で示すように相互に交差するよう、目標模様の隅形態７４に隣接して水平散乱バー７２および垂直散乱バー７３の両方を配置することである。次のステップ（ステップ８３）では、水平および垂直散乱バー７２および７３の交差する端部が相互から引き戻され、したがって水平および垂直散乱バーの２つの隅が、図１０で示すように相互に接触する。次のステップ（ステップ８５）では、図１１で示すように、隅形態に曝露した面取り散乱バー７６の面が、水平および垂直散乱バー７２および７３に対してほぼ４５°の角度を形成するよう、三角形の形態７６（つまり面取り散乱バー）を水平および垂直散乱バー７２および７３の両方の縁と接触した状態で配置する。所与の実施形態では、面取り散乱バーが基本的に、４５°、４５°および９０°の角度を有する三角形の形態を形成することが分かる。面取り散乱バーは、形態の隅領域の隣で交差することができる水平および垂直散乱バーと比較して、印刷される可能性が非常に低いことも分かる（その結果、通常は交差点で望ましくない斑点が印刷される）。
【００２９】
所与の実施形態で開示された面取り散乱バーは、４５°の等しい角度を有する直角三角形を呈するが、このような形状に必ずしも制限されないことも分かる。以下で説明するように、面取り散乱バーは他の形状も可能であり、これはそれぞれ、所定のプロセスおよび所定の目標模様のレイアウトに対して選択し、最適化することができる。主な態様の一つは、面取り散乱バーが、垂直および水平散乱バーの交差によって形成／画定された正方形区域と比較して、散乱バーの面積の減少を呈することである。
【００３０】
図１２ａは、同じ方向に延在する２本の平行な散乱バーの線を接続するため、新規の面取り散乱バーを使用することを示す。これに対して、図１２ｂは、先行技術を使用してこのような平行な散乱を接続する方法を示す。図１２ａで示すように、面取り部９１は、散乱バー９２の垂直線に対して約４５°にある線を有する平行四辺形として構成される。つまり、所与の実施形態では、面取り部９１は、並んで配置された２つの直角三角形を備える。言うまでもなく、面取り部９１は、水平方向で相互に平行して配置された散乱バーを接続するためにも使用することができる。図１５で以下で示すように、水平方向に延在する散乱バーを結合するために傾斜した面取り部を使用すると、散乱バー全体が、印刷される形態の縁にさらに一致することができる。本発明の面取り部の使用は、図１２ｂで示す「隅接触」の接点と比較して、より予想可能な結果で形成することができることが分かる。
【００３１】
図１３ａおよび図１３ｂは、本発明の面取り散乱バーを調節して、印刷性能を最適化することができる方法を示す。図１３ａは、図１１で以上で開示したものと同じ面取り部を示し、面取り部７６は、４５°、４５°および９０°の角度を有する直角三角形で形成される。図１３ｂはその変形を示し、ここで面取り部９５は、ほぼ台形の形状を有し、平行線は両方とも、垂直および水平散乱バーに対して約４５°の角度である。
【００３２】
（図１３ａで示した面取り部とは異なり）図１３ｂで示すようなより長い面取り部を使用することが、特定の状況では好ましいことが分かる。長くなっているので、マスクの検査が容易になるからである。外隅を囲むために、円対称の印刷システムを仮定すると、理想的な散乱バーは、１次形態から一定の距離を維持する円弧形散乱バーである。この理想的散乱バーは、図１５ｂで示すような４５°の面取り部で十分に近似することができる。
【００３３】
図１３ａおよび図１３ｂで示した面取り部は、目標レイアウトに対する形態の内隅の描像を改善するために使用されるが、レイアウト内の形態の外隅を覆うために面取り部を使用することも可能である。図１４ａおよび図１４ｂは、図１３ａおよび図１３ｂそれぞれで示した面取り部を使用して、形態の外隅を覆う方法を示す。
【００３４】
さらに、新規の面取り散乱バーの結果、孤立した形態を散乱バーで完全に囲むことも可能である。図１５ａおよび図１５ｂは、図１３ａおよび図１３ｂで示した面取り散乱バーを水平および垂直散乱バーと組み合わせて使用し、印刷される形態を囲む方法を示す。所定の形態を囲むために図１３ａおよび図１３ｂで示した面取り散乱バーの組合せを使用できることも分かる。
【００３５】
面取り散乱バーのさらに別の変形を図１６に示す。図１６を参照すると、面取り部９７はほぼ弓形（例えば半円形の形状）であり、垂直および水平散乱バーの線端または隅を接続することができる。図１６で示すように、面取り部９７を使用して、形態７４を囲むよう２つの垂直散乱バー７３を相互に結合する。
【００３６】
上述したように、散乱バーを形成する本発明の方法および技術は、先行技術に対して大きい利点を提供する。一つの利点は、本発明の技術が、レイアウト設計に含まれる個々の散乱バーの量を減少させ、散乱バーが占有する全体的面積を増加させることである。また、本発明の方法は、散乱バーを線端に配置し、これは先行技術を使用すると削除される。その結果、マスク作成プロセスが単純化され、それと同時に印刷性能が改善される。方法では、新規の「面取り」散乱バーを使用することもでき、これで隣接する垂直および水平散乱バーを接続することができ、それによってレイアウトに含まれる隅形態の印刷性能が改善され、さらに孤立した形態が完全に保護され（つまり散乱バーによって完全に囲まれ）、さらに形態の焦点外れ保護が最高になる。このように完全に囲むことで、このような設計形態の全部分が、散乱バーによって孤立した形態に提供されることが知られている焦点深度の改善を保証する。
【００３７】
本発明の方法は、本明細書で開示された上記の方法が、マスク生成プロセス中に自動的に実行されるよう、ソフトウェアで実行できることが分かる。さらに、本明細書に明示的には記載されていないが、延長した垂直および水平散乱バーの交差区域を識別するプロセス、およびその後のマスク設計からのその削除は、当業者にはよく知られていることが分かる。したがって、そのプロセスに関するさらなる説明は、本明細書では提供しない。さらに、散乱バーは、設計のどの形態縁の隣にも配置されるわけではないことが分かる。例えば、目標設計内に密にパッキングされた形態は、通常、その隣に散乱バーを配置するための候補にならない。
【００３８】
図１７は、本発明の助けにより設計されるマスクとともに使用するのに適切なリソグラフィ投影装置を概略的に示したものである。この装置は、
−  この特別なケースでは放射線ソースＬＡも備えた、放射線の投影ビームＰＢを供給する放射線ソースＥｘ、ＩＬと、
−  マスクＭＡ（例えばレクチル）を保持するマスクホルダを備え、かつ、品目ＰＬに対して正確にマスクの位置決めを行う第一位置決め手段ＰＭに連結を行った第一オブジェクトテーブル（マスクテーブル）ＭＴと、
−  基板Ｗ（例えばレジストを塗布したシリコンウェハ）を保持する基板ホルダ２を備え、かつ、品目ＰＬに対して正確に基板の位置決めを行う第二位置決め手段ＰＷに連結を行った第二オブジェクトテーブル（基板テーブル）ＷＴと、
−  マスクＭＡの照射部分を、基板Ｗの目標部分Ｃ（例えば、１つあるいはそれ以上のダイから成る）に描像する投影システム（「レンズ」）ＰＬとにより構成されている。
【００３９】
ここで示しているように、本装置は透過タイプである（すなわち透過マスクを有する）。しかし、一般的には、例えば（反射マスクを有する）反射タイプのものも可能である。あるいは、本装置は、マスクを使用する代わりに別の種類の模様付け手段も使用可能であり、その例にはプログラマブルミラーアレイまたはＬＣＤマトリクスがある。
【００４０】
ソースＬＡ（例えば水銀ランプまたはエキシマレーザ）は放射線のビームを作り出す。このビームは、直接的に、あるいは、例えばビームエキスパンダＥｘといったような調整手段を横断した後に、照明システム（照明装置）ＩＬに供給される。照明装置ＩＬは、ビームにおける強度分布の外部および／あるいは内部放射範囲（一般的にそれぞれ、σ−ｏｕｔｅｒおよびσ−ｉｎｎｅｒと呼ばれる）を設定する調整手段ＡＭから成る。さらに、これは一般的に積分器ＩＮおよびコンデンサＣＯといったような、他のさまざまな構成要素を備える。このようにして、マスクＭＡに照射するビームＰＢは、その断面に亘り所望する均一性と強度分布とを有する。
【００４１】
図１７に関して、ソースＬＡはリソグラフィ投影装置のハウジング内にある（これは例えばソースＬＡが水銀ランプである場合に多い）が、リソグラフィ投影装置から離して配置することも可能であることを注記する。この場合、ソースＬＡが作り出す放射線ビームは（例えば適切な案内ミラーにより）装置内に導かれる。この後者のシナリオでは、ソースＬＡがエキシマレーザ（例えばＫｒＦ、ＡｒＦまたはＦ2レイジングをベースとする）である場合が多い。本発明は少なくともこれら両方のシナリオを網羅するものである。
【００４２】
続いてビームＰＢはマスクテーブルＭＴ上に保持されているマスクＭＡに入射する。ビームＰＢはマスクＭＡを横断して、基板Ｗの目標部分Ｃ上にビームＰＢの焦点を合わせるレンズＰＬを通過する。第二位置決め手段（および干渉計測手段ＩＦ）の助けにより、基板テーブルＷＴは、例えばビームＰＢの経路における異なる目標部分Ｃに位置を合わせるために正確に運動可能である。同様に、第一位置決め手段は、例えばマスクライブラリからマスクＭＡを機械的に検索した後に、あるいは走査運動の間に、ビームＰＢの経路に対してマスクＭＡを正確に位置決めするように使用可能である。一般的に、オブジェクトテーブルＭＴ、ＷＴの運動はロングストロークモジュール（粗動位置決め）およびショートストロークモジュール（微動位置決め）にて行われる。これについては図１７に明示を行っていない。しかし、ウェハステッパの場合（走査ステップ式装置とは対照的に）、マスクテーブルＭＴはショートストロークアクチュエータに連結されるだけであるか、あるいは固定される。
【００４３】
ここに表した装置は２つの異なるモードにて使用可能である。
−  ステップモードにおいては、マスクテーブルＭＴは基本的に静止状態に保たれている。そして、マスクの像全体が１回の作動（すなわち１回の「フラッシュ」）で目標部分Ｃに投影される。次に基板テーブルＷＴがｘ方向および／あるいはｙ方向にシフトされ、異なる目標部分ＣがビームＰＢにより照射され得る。
−  走査モードにおいては、基本的に同一シナリオが適用されるが、但し、ここでは、所定の目標部分Ｃは１回の「フラッシュ」では露光されない。代わって、マスクテーブルＭＴが、速度ｖにて所定方向（いわゆる「走査方向」、例えばｙ方向）に運動可能であり、それによってビームＰＢがマスクの像を走査する。これと同時に、基板テーブルＷＴが速度Ｖ＝Ｍｖで、同一方向あるいは反対方向に運動する。ここで、ＭはレンズＰＬの倍率（一般的にＭ＝１／４あるいは１／５）である。このように、解像度を妥協することなく、比較的大きな目標部分Ｃを露光することが可能となる。
【００４４】
本明細書で開示した概念は、波長以下の形態を描像する一般的な描像システムをシミュレートするか、数学的にモデル化することができ、ますますサイズが小さくなる波長を精製することができる新興の描像テクノロジで特に有用である。既に使用されている新興のテクノロジには、ＡｒＦレーザを使用して１９３ｎｍの波長を、さらにはフッ素レーザを使用して１５７ｎｍの波長を生成可能なＥＵＶ（極紫外線）リソグラフィを含む。さらに、ＥＵＶリソグラフィは、２０〜５ｎｍの範囲内の光子を生成するために、シンクロトロンを使用するか、高エネルギ電子を材料（固体またはプラズマ）に当てることにより、この範囲内の波長を生成することができる。大部分の材料はこの範囲内では吸収性であるので、モリブデンとシリコンを複数重ねた反射性ミラーによって照明を生成することができる。多重ミラーは、モリブデンとシリコンの４０層の対を有し、各層の厚さは１／４波長である。Ｘ線リソグラフィで、さらに小さい波長を生成することができる。通常は、サイクロトロンを使用して、Ｘ線波長を生成する。大部分の材料は、Ｘ線波長では吸収性であるので、吸収性材料の薄い部片は、どの形態を印刷するか（プラスのレジスト）、印刷しないか（マイナスのレジスト）を画定する。
【００４５】
本明細書で開示する概念は、シリコンウェハなどの基板への描像に使用することができるが、開示された概念は、任意のタイプのリソグラフィ描像システムで使用できることを理解されたい。例えば、シリコンウェハ以外の基板に描像するために使用するものである。
【００４６】
コンピュータシステムのソフトウェアの機能性は、実行可能なコードを含むプログラミングを伴い、上述した描像モデルの実現に使用することができる。ソフトウェアコードは、汎用コンピュータで実行可能である。使用時には、コード、および場合によっては関連するデータレコードを、汎用コンピュータのプラットフォームに記憶する。しかし、適切な汎用コンピュータシステムにロードするため、ソフトウェアを他の場所に記憶したり、転送したりすることもある。したがって、上記で検討した実施形態は、少なくとも１つの機械で読み取り可能な媒体によって支持されるコードの１つまたは複数のモジュールの形態で、１つまたは複数のソフトウェア製品を伴う。コンピュータシステムのプロセッサによってこのようなコードを実行すると、プラットフォームは、基本的に本明細書で検討し、図示した実施形態で実行する方法で、カタログおよび／またはソフトウェアのダウンロード機能を実現することができる。
【００４７】
本明細書では、コンピュータまたは機械で「読み取り可能な媒体」などの言葉は、実行するために命令をプロセッサに提供することに係わる全ての媒体を指す。このような媒体は、不揮発性媒体、揮発性媒体、および転送媒体などの多くの形態をとることができるが、これに制限されない。不揮発性媒体には、例えば光学または磁気ディスク、上記で検討したサーバプラットフォームの一つとして作動するコンピュータのいずれかの記憶デバイスなどである。揮発性媒体には、このようなコンピュータプラットフォームのメインメモリなどの動的メモリがある。物理的転送媒体には、同軸ケーブル、コンピュータシステム内のバスを含むワイヤなどの銅線および光ファイバがある。搬送波転送媒体は、電気または電磁信号、または音波または光波、例えば高周波（ＲＦ）および赤外線（ＩＲ）データ通信中に生成される波の形態をとることができる。したがって、コンピュータで読み取り可能な媒体の共通の形態には、例えばフロッピディスク（登録商標）、フレキシブルディスク、ハードディスク、磁気テープ、他の磁気媒体、ＣＤ−ＲＯＭ、ＤＶＤ、他の光学媒体、パンチカードや紙テープなどのそれほど一般的に使用されていない媒体、穴のパターンを有する他の物理的媒体、ＲＡＭ、ＰＲＯＭ、およびＥＰＲＯＭ、ＦＬＡＳＨ−ＥＰＲＯＭ、他のメモリチップまたはカートリッジ、搬送波転送データまたは命令、このような搬送波を転送するケーブルまたはリンク、またはコンピュータがプログラミングコードおよび／またはデータを読み取ることができる他の媒体がある。コンピュータが読み取り可能な媒体のこのような形態の多くは、実行するために、１つまたは複数の命令の１つまたは複数のシーケンスをプロセッサに搬送することを含む。
【００４８】
本発明を詳細に説明し、図示してきたが、これは例証および例示のみであって、制限とは見なされず、本発明の範囲は、請求の範囲によってのみ制限されることが、明白に理解される。
【図面の簡単な説明】
【００４９】
【図１】図１ａから図１ｃは、散乱バーをマスク設計に適用するために現在知られている方法を使用して散乱バーを適用した結果生じる問題を示す。
【図２】散乱バーをマスクレイアウトに適用するために現在知られている方法を使用して散乱バーを含むよう改造された例示的マスクレイアウトを示す。
【図３】本発明の方法を使用して散乱バーを含むよう改造された例示的マスクレイアウトを示す。
【図４】本発明により散乱バーをマスクレイアウトに適用する方法を示す例示的流れ図である。
【図５】図５ａから図５ｃは、図４の流れ図で説明したプロセスを示す。
【図６】本発明による散乱バー適用プロセスの終了後のマスクレイアウトを示す。
【図７】先行技術の散乱バー技術を使用して、散乱バーを図６で示した同じ目標模様に適用することを示す。
【図８】本発明により「面取り」散乱バーを生成する例示的方法の流れ図である。
【図９】図８の流れ図で説明したプロセスを示す。
【図１０】図８の流れ図で説明したプロセスを示す。
【図１１】図８の流れ図で説明したプロセスを示す。
【図１２ａ】同じ方向に延在する２本の平行な散乱バーの線を接続するため、本発明の新規の面取り散乱バーを使用することを示す。
【図１２ｂ】先行技術を使用して平行な散乱バーを接続する方法を示す。
【図１３】図１３ａおよび図１３ｂは、印刷性能を最適化するために本発明の面取り散乱バーを調節できる方法を示す。
【図１４】図１４ａおよび図１４ｂは、図１３ａおよび図１３ｂでそれぞれ図示された面取りを使用して、形態の外隅を覆う方法を示す。
【図１５】図１５ａおよび図１５ｂは、図１３ａおよび図１３ｂでそれぞれ図示された面取り散乱バーを水平および垂直散乱バーと組み合わせて使用し、印刷すべき形態を囲む方法を示す。
【図１６】本発明の面取り散乱バーの別の実施形態を示す。
【図１７】本発明の助けにより設計したマスクとともに使用するのに適切なリソグラフィ投影装置を概略的に示す。
【図１】
2005031690.tif 000003
【図２】
2005031690.tif 000004
【図３】
2005031690.tif 000005
【図４】
2005031690.tif 000006
【図５】
2005031690.tif 000007
【図６】
2005031690.tif 000008
【図７】
2005031690.tif 000009
【図８】
2005031690.tif 000010
【図９】
2005031690.tif 000011
【図１０】
2005031690.tif 000012
【図１１】
2005031690.tif 000013
【図１２ａ】
2005031690.tif 000014
【図１２ｂ】
2005031690.tif 000015
【図１３】
2005031690.tif 000016
【図１４】
2005031690.tif 000017
【図１５】
2005031690.tif 000018
【図１６】
2005031690.tif 000019
【図１７】
2005031690.tif 000020
【外国語明細書】
2005031690.tif 000021
2005031690.tif 000022
2005031690.tif 000023
2005031690.tif 000024
2005031690.tif 000025
2005031690.tif 000026
2005031690.tif 000027
2005031690.tif 000028
2005031690.tif 000029
2005031690.tif 000030
2005031690.tif 000031
2005031690.tif 000032
2005031690.tif 000033
2005031690.tif 000034
2005031690.tif 000035
2005031690.tif 000036
2005031690.tif 000037
2005031690.tif 000038
2005031690.tif 000039
2005031690.tif 000040
2005031690.tif 000041
2005031690.tif 000042
2005031690.tif 000043
2005031690.tif 000044
2005031690.tif 000045
2005031690.tif 000046
2005031690.tif 000047
2005031690.tif 000048
2005031690.tif 000049
2005031690.tif 000050
2005031690.tif 000051
2005031690.tif 000052
2005031690.tif 000053
2005031690.tif 000054
2005031690.tif 000055
2005031690.tif 000056
2005031690.tif 000057
2005031690.tif 000058
2005031690.tif 000059
2005031690.tif 000060
2005031690.tif 000061
2005031690.tif 000062
2005031690.tif 000063
2005031690.tif 000064
2005031690.tif 000065
2005031690.tif 000066
2005031690.tif 000067
2005031690.tif 000068
2005031690.tif 000069